(57)【特許請求の範囲】
【請求項１】
筒状のケーシングと、
このケーシングの一端側に位置付けられた電気回路基板と、
この電気回路基板から前記ケーシングの延伸方向に沿って隔てられた前記ケーシングの他端側に位置付けられ乾電池を前記筒状のケーシングが延出する方向に沿って並べて収容し得る電池収容部と、
この電池収容部に並べて収容された乾電池の一端側を押圧しながら接するように設けられた先端部及び前記電気回路基板の他端縁よりも一端側で支持されるとともに前記先端部からの電気を前記電気回路基板へ通電させ得る基端部を有している支持電極とを具備し、
前記ケーシングが、前記支持電極の基端部近傍に前記電気回路基板の他端縁よりも一端側で係り合うことにより前記先端部から前記基端部を介した前記電気回路基板への衝撃の伝達を抑制する衝撃抑制部を有し、
前記衝撃抑制部が、前記電気回路基板の他端縁よりも一端側に位置付けられているリブを有していることを特徴とするレーザポインタ。
【請求項２】
前記電気回路基板が、前記支持電極の配置に干渉させないために他端縁から一端側へ退避するよう凹ませて設けた退避凹部を有している請求項１記載のレーザポインタ。
【請求項３】
前記衝撃抑制部が、前記ケーシングの内面側から突出する前記リブと、当該リブに設けられ前記電極を挟持するスリットとを有している請求項１又は２記載のレーザポインタ。
【請求項４】
前記支持電極が、導電性素材からなるコイルバネである請求項１、２又は３記載のレーザポインタ。
【請求項５】
レーザを照射するためのレーザ照射部と、レーザ照射操作等を受け付けるための操作部を、前記ケーシングの長手方向における前記基板の範囲内に収めて位置付けている請求項１、２、３又は４記載のレーザポインタ。
【請求項６】
前記レーザ照射部が、前記ケーシングの一端側にねじ止めされたビスを挿通させたワッシャにより前記ケーシングの一端縁に押圧支持されている請求項５記載のレーザポインタ。
【請求項７】
前記ケーシングを、前記乾電池の円筒面に沿った円筒形状としている請求項１、２、３、４、５又は６記載のレーザポインタ。
【発明の詳細な説明】
【技術分野】
【０００１】
本発明は、レーザ光をスクリーン等に照射することができるレーザポインタに関するものである。
【背景技術】
【０００２】
従来、レーザ光をスクリーン等に照射することができるレーザポインタが多く提案されている。中には、レーザを照射する機能のみならず、パーソナルコンピュータを操作し得る機能を有したものや、防水、防塵性能等を付与したものなど、種々の機能・性能を有したものが提案されている（例えば、特許文献１参照）。
【０００３】
またこのレーザポインタに関し、現在市販されているものは全て、予め決められた所定の要件を満たしたものとなっている。その所定の要件とは、ケーシングの長さ寸法が８０ｍｍ以上、重量が４０ｇ以上という外形、重量に関したものや、ＪＩＳ８５００に定義されている通称単１〜単５サイズの円筒型乾電池を２つ以上同じもの使用すること等、レーザポインタの電気的な規格、持ち運びや取り回しに関することについても種々の要件が義務付けられている。
【先行技術文献】
【特許文献】
【０００４】
【特許文献１】特開２００６−３３０２０８号公報
【発明の概要】
【発明が解決しようとする課題】
【０００５】
しかしながら、現状もっとも短い寸法を有したいわゆる単５と称される円筒型乾電池を使用しても、ケーシングの長さ寸法が８０ｍｍ程度の寸法を確保する必要があることを考えると、従前の構造をそのまま適用すれば、ケーシング自体の径を大きく形成し、機構部品を内蔵した構成としなければならないのが現状である。しかし他方、使用者のニーズとしては、衣服のポケットや、或いはペンケース等に入れるなど、筆記具と同様に扱い得る程度の細身の形状が、使用者にとって扱い易い形状として認識されている。つまり斯かるレーザポインタに至っても、ケーシングをなるべくスマートな形状とすることで、この様な筆記具と同様に扱い得る程度の長さ・形状を実現することにより、使用者に扱われやすいものとすることが求められている。
【０００６】
本発明は、このような不具合に着目したものであり、現状許容される範囲で細身な形状を維持しつつ、なるべく短い寸法のものを実現することで、使用者にとって取り扱いし易い形状のレーザポインタを提供することを目的としている。
【課題を解決するための手段】
【０００７】
本発明は、このような目的を達成するために、次のような手段を講じたものである。すなわち本発明に係るレーザポインタは、筒状のケーシングと、このケーシングの一端側に位置付けられた電気回路基板と、この電気回路基板から前記ケーシングの延伸方向に沿って隔てられた前記ケーシングの他端側に位置付けられ乾電池を前記筒状のケーシングが延出する方向に沿って並べて収容し得る電池収容部と、この電池収容部に並べて収容された乾電池の一端側を押圧しながら接するように設けられた先端部及び前記電気回路基板の他端縁よりも一端側で支持されるとともに前記先端部からの電気を前記電気回路基板へ通電させ得る基端部を有している支持電極とを具備し、前記ケーシングが、前記支持電極の基端部近傍に前記電気回路基板の他端縁よりも一端側で係り合うことにより前記先端部から前記基端部を介した前記電気回路基板への衝撃の伝達を抑制する衝撃抑制部を有し、前記衝撃抑制部が、前記電気回路基板の他端縁よりも一端側に位置付けられているリブを有していることを特徴とする。
【０００８】
ここで、レーザポインタの「一端」とは、一般にレーザ光が照射されるレーザポインタの、いわゆる先端側と通常認識されると考えられるが、本発明では、「一端」側とは、レーザポインタの先端側、基端側の何れを示すものであっても良い。
【０００９】
このようなものであれば、通常乾電池を支持する電極と電気回路基板とを長手方向に並べて配置する場合には電気回路基板と電極との間を電気的にも配置としても仕切る格別の部材を必要とするところ、電気回路基板と支持電極との間に別途電極を支持する仕切板等を介在させることを有効に回避して、筒状のケーシングの径が大きくなることを回避しつつより短寸、すなわち、よりコンパクトなレーザポインタを構成することができる。
【００１０】
また、支持電極を介して電気回路基板に伝わる衝撃を有効に抑制するために、ケーシングに、支持電極の基端部近傍に係り合うことにより先端部から基端部を介した電気回路基板への衝撃の伝達を抑制する衝撃抑制部を設けている。そして電気回路基板が、前記支持電極の配置に干渉させないために他端縁から一端側へ退避するよう凹ませて設けた退避凹部を有していることが望ましい。
【００１１】
そして斯かる衝撃抑制部の具体的な構成として、この衝撃抑制部を、ケーシングの内面側から突出するリブと、当該リブに設けられ支持電極を挟持するスリットとを有したものとすることが好ましい。
【００１２】
この衝撃抑制部をケーシング内でコンパクトに位置付けるためには、リブを、電気回路基板の他端縁よりも一端側に位置付けておくことが望ましい。
【００１３】
そして支持電極の構成は種々考えられるが、乾電池に関して、所定の規格を満たすものであっても当該規格の範囲内で寸法が異なる場合が考えられるが、それらの寸法の差異を支持電極の構成によって有効に許容するための具体的な構成としては、この支持電極を、導電性素材からなるコイルバネとする態様を挙げることができる。
【００１４】
そして、上述のような電気回路基板の配置を利用してレーザポインタ自体をさらにコンパクトに構成するためには、レーザを照射するためのレーザ照射部と、レーザ照射操作等を受け付けるための操作部とを、ケーシングの長手方向における基板の範囲内に収めて位置付けておくことが好ましい。
【００１５】
上記の構成を適用した場合、レーザ照射部をケーシング内に位置決めする構成を単純且つコンパクトに実現する必要が有るが、レーザ照射部が、ケーシングの一端側にねじ止めされたビスを挿通させたワッシャによりケーシングの一端縁に押圧支持される構成を適用することにより、上記の課題を解消することができる。
【００１６】
そしてケーシングを、乾電池の円筒面に沿った円筒形状とすれば、コンパクト且つ扱い易い形状のレーザポインタを提供することができる。
【発明の効果】
【００１７】
本発明によれば、通常乾電池を支持する電極と電気回路基板とを長手方向に並べて配置する場合には電気回路基板と電極との間を電気的にも配置としても仕切る格別の部材を必要とするところ、電気回路基板と支持電極との間に別途電極を支持する仕切板等を介在させることを有効に回避して、筒状のケーシングの径が大きくなることを回避しつつ、より短寸でコンパクトなレーザポインタを構成することができる。
【図面の簡単な説明】
【００１８】
【図１】本発明の一実施形態に係る外観図。
【図２】同実施形態に係る正面図。
【図３】同平面図。
【図４】同底面図。
【図５】同左側面図。
【図６】同分解斜視図。
【図７】同実施形態に係る要部を示す図。
【図８】同要部を示す別の図。
【図９】同要部の側断面を示す図。
【図１０】同実施形態の他の要部を示す構成説明図。
【図１１】同上。
【発明を実施するための形態】
【００１９】
以下、本発明の一実施の形態について図面を参照して説明する。
【００２０】
本実施形態に係るレーザポインタは、図１ないし図１１に示すように、先端カバー１１、上カバー１２、下カバー１３及び電池カバー１４を主体とする円筒形状をなすケーシング１と、このケーシング１の一端面である前端面からレーザ光を照射するためのレーザ照射部２と、当該レーザ光の照射に係る操作を受け付けるための操作部３と、ポケット等の掛止対象へレーザポインタを掛け止めるためのクリップ５と、図６等に示すようにケーシング１内に内蔵され種々の回路等を支持している電気回路基板たる基板６と、乾電池Ｋからの電極を基板６側へ通電し得る電極部７を主に有している。
【００２１】
なお本明細書では、レーザ光が照射される側を本発明に係る「一端」に該当する「先端」又は前端と記載し、クリップが配置されている側を本発明に係る「他端」に該当する「基端」と記載するものとする。
【００２２】
レーザ照射部２は、図同に示すように、ケーシング１の一端すなわち先端側にある先端カバー１１付近に位置付けられ、操作部３の操作によって、例えば赤色のレーザ光を、レーザ照射口１１ａを介して外部へ発振・照射するレーザ素子２１と、例えば基板６側に取り付けられてレーザ素子２１を制御する図示しないレーザ制御装置とを有しているものであるが、当該レーザ照射部２の具体的な構成については既存のものであるのでその詳細な説明を省略するものとする。レーザ素子２１は、本実施形態ではケーシング１内部において下カバー１３に設けられた後述するレーザ固定部１３５に固定されたものとなっている。なお当該レーザ照射部２は一例として赤色のレーザ光を照射する態様としているが、勿論緑色や青色のレーザ光を照射するものであってもよい。
【００２３】
操作部３は、上カバー１２から露出したレーザ照射ボタン３１と、図２、３及び５に示すように上カバー１２及び下カバー１３の間に位置付けられた電源スイッチ３２とを有している。レーザ照射ボタン３１は、上カバー１２から露出するボタンカバーと、ボタンカバーに加えられた外力を基板６側に伝えるためのボタン本体とを有している。そしてこのレーザ照射ボタン３１は、押下された状態でのみレーザ照射部２からレーザ光を照射させるものである。電源スイッチ３２は、スライドさせることで電源の入切を切り替えるためのものであり、電源が「入」すなわちＯＮの状態では、レーザ照射ボタン３１の押下によるレーザ光の照射が可能な状態となる。
【００２４】
表示部４は、レーザ光の照射に連動して発光する、例えばＬＥＤを用いた通電表示ランプ４１と、乾電池Ｋの電池残量が所定値よりも少なくなった場合に、例えば赤色で点滅することによってその旨を使用者に知らしめるための電池残量通知ランプ４２とを有している。
【００２５】
ケーシング１は、図１ないし図１１に示すように概略円筒形状をなすものであり、先端側に配された先端カバー１１と、操作部３や表示部４を表出させるとともにクリップ５とともに衣類のポケット等の取付対象を挟持する上カバー１２と、電池Ｋを交換するために下カバー１３に対して着脱可能に構成された電池カバー１４とを有するものである。そして当該ケーシング１内では、先端縁すなわち先端カバー１１付近にレーザ照射部２、操作部３、表示部４及び基板６を集中させて設けるとともに、他端すなわち基端側には、後述の通りクリップ５を周面つまり挟持面１２ａから突出させて取り付けている。またケーシング内部には例えば単５型と称される規格の円筒型乾電池Ｋを直列に２つ収容し得る電池収容部Ｘを設けている。また本実施形態では、これら上カバー１２と下カバー１３とが協働することによりクリップ５を強固に固定しながら収容するクリップ収容部１０を形成しているものであるが、斯かるクリップ収容部１０の具体的な構成については後に詳述する。
【００２６】
先端カバー１１は、中央よりやや偏心した箇所にレーザ光を透過し得る開口であるレーザ照射口１１ａを形成している。
【００２７】
また電池カバー１４は、下カバー１３の電池カバー取付部１３３に適宜係り合う構成とすることで当該下カバー１３に対して着脱可能に形成されたカバー本体１４１と、カバー本体１４１の内側に取り付けられた所定の厚みを有する金属板からなるウエイト板１４２とを有している。このウエイト板１４２は、当該レーザポインタの乾電池Ｋを含んだ総重量が４０ｇを超えるのに寄与するとともに、このレーザポインタの長手方向の重心が基端側すなわちクリップ５に近接することにも寄与している。
【００２８】
上カバー１２は、表面においてクリップ５と当接して例えば衣服の一部を挟持し得る挟持面１２ａと、クリップ５を構成するブロック部５２に当接することでブロック部５２を被覆するためのブロック当接部１２１とを有している。
【００２９】
下カバー１３は、電池カバー１４とともにレーザポインタの下半分を略覆うとともに上カバー１２の基端側にまで被覆するように形成したものであり、この上カバー１２の基端側には本発明の突出部として、上カバー１２の挟持面１２ａよりも突出させて設けたブロック被覆部１３１と、ブロック被覆部１３１に近接して設けたストラップ孔１３２と、下側において電池カバー１４に着脱可能に係り合う電池カバー取付部１３３と、先端側すなわち先端カバー１１付近で基板６を固定するための基板固定部１３４と、レーザ素子２１を固定するためのレーザ固定部１３５と、基板６に接続された後述するコイル電極７２に係り合うコイル当接リブ１３６とを有している。ストラップ孔１３２は、このレーザポインタを別異の箇所に吊り下げておくための図示しないストラップを挿通し得る受容孔である。電池カバー取付部１３３は、上述の通り電池カバー１４を着脱可能に支持し得るものであり、本実施形態では図１に図示の状態から、電池カバー１４を基端側へ所定寸法スライドさせることにより係り合いを解除し得る形状を、一例として適用している。
【００３０】
そして、ブロック被覆部１３１は、特に図６、図９に示すように、クリップ５の後述するブロック部５２の上側に接する箇所で、且つ、ケーシング１の周面たる挟持面１２ａから突出させて設けた本発明の突出部に該当する箇所である。また当該ブロック被覆部１３１は、図１及び図６に示すように、上述したブロック当接部１２１とともにクリップ５を収容するクリップ収容部１０を構成するものであるが、斯かるクリップ収容部については後に詳述する。そしてこのブロック被覆部１３１は、ブロック部５２を例えば超音波溶着によって強固に取り付けられ、その上側には、ブロック部５２を挿通してこのブロックをビス止めするためのめねじ部１３１ａを設けている。なお本実施形態では、ブロック部５２と当該ブロック被覆部１３１とが溶着される領域を溶着領域Ｙとして、図９で薄墨を付して示している。
【００３１】
基板固定部１３４は、特に図６、図１０及び図１１に示すように先端カバー１１近傍で基板６を取り付けるための箇所であり、本実施形態では基板６の他端縁たる基端縁６ａ近傍に設け基板６を当接支持する基板支持リブ１３４ａと、先端側において基板６に設けたボス穴６３に係り合う基板固定ボス１３４ｂとを有している。
【００３２】
レーザ固定部１３５は、同図に示すように、基板固定部１３４に正面視重複する位置に位置付けられたものであり、レーザ素子２１を位置決めするためのレーザ支持リブ１３５ａと、レーザ素子２１付近に形成された雌ねじ孔であるビス穴１３５ｂと、当該ビス穴１３５ｂに螺合させるレーザ固定ビス１３５ｃと、このレーザ固定ビス１３５ｃに挿通させるとともにレーザ固定ビス１３５ｃのねじ止めに応じてレーザ素子２１を上方及び側方から押圧固定するレーザ押圧ワッシャ１３５ｄとを有している。
【００３３】
コイル固定リブ１３６は、同図に示すように、レーザ固定部１３５と同じく基板固定部１３４に正面視重複する位置に位置付けられたリブであり、本発明ではコイル電極７２に加わる外力を基板６側で抑制するために設けた本発明の衝撃抑制部に該当するものである。当該コイル固定リブ１３６は、コイル電極７２の伸縮方向すなわちケーシング１の延伸方向の外力を受けるためのコイル当接面１３６ａと、コイルの一部を挟持してコイルの細かな動きが基板６側へ伝わるのを抑制するコイル挟持スリット１３６ｂとを有している。
【００３４】
一方クリップ５は、図７、図８及び図９に特に示すように、ケーシング１の周面たる挟持面１２ａから突出させて設けた突出部たるブロック被覆部１３１からケーシング１の延伸方向に向かって伸びるクリップ本体５１と、このクリップ本体５１の基端部５１ａを保持するブロック部５２と、このブロック部５２をケーシング及び電極部にねじ止めするためのブロック固定ビス５３とを主に有している。そしてこのクリップ５は、製造時に予め金型にクリップ本体５１を位置決めした状態でブロック部５２の射出成形を行う、いわゆるインサート成型により一体的に形成されたものである。
【００３５】
クリップ本体５１は、例えば一本の金属製の線状部材を適宜成型することによって形成されたものであり、ブロック部５２に覆われた基端部５１ａにおけるブロック部５２内の所定箇所を部分的に圧肉に形成した抜止部５１１と、基端部５１ａの近傍、具体的にはケーシング１から露出した基端部５１ａ近辺の箇所で部分的に線状部材を薄肉に形成した変形助長部５１２と、先端部５１ｂ近傍において線状部材を湾曲させて設け、上カバー１２の挟持面１２ａとともに衣類のポケット等を押圧挟持し得る押圧部５１３とを有している。
【００３６】
ブロック部５２は、上述の通りクリップ本体５１と共に一体成形された樹脂製のブロック体５２１と、このブロック体５２１の正面視中央部近傍には上カバー１２並びに後述する板状電極７１に固定されるために設けた貫通孔５２２とを有している。
【００３７】
基板６は、レーザ照射部２や操作部３、そして表示部４と適宜電気的に接続して、レーザポインタを正確に動作させるためのものである。本実施形態では当該基板６の電気的な構造については既存の構成を適用しているため、本実施形態での詳細な説明を省略するものとする。
【００３８】
そして当該基板６は、図６、図１０及び、図１１では破線で示すように、下カバー１３の基板固定部１３４によって先端側すなわち先端カバー１１近傍に固定されたものであり、当該基板６のとしての電気的機能を果たす基板本体６１と、電極部７のコイル電極７２に対し例えばハンダ付け等により電気的に接続させる箇所に設けた開口形状のコイル接続穴６２と、基板６の先端側において基板固定ボス１３４ｂに係り合い固定される２つのボス穴６３と、コイル電極７２の配置に干渉させないために基板本体６１を基端縁６ａから退避させて設けた退避凹部６４とを有している。
【００３９】
電極部７は、電池収容部Ｘの基端側から基板６に至るまで上カバー１２に沿って延出するとともに、本実施形態では＋側電極の役割を果たす板状電極７１と、マイナス側電極の役割を果たすとともに乾電池Ｋを弾性付勢により押圧支持しているコイル電極７２とを有している。
【００４０】
板状電極７１は、当該板状電極７１の主体をなす電極本体７１ａと、この電極本体７１ａにおけるクリップ５に対し正面視重複する位置に設けられたねじ挿通孔７１ｂとを有している。本実施形態ではこの電極本体７１ａも所要の重量を有する金属部材を用いることにより、前記のウエイト板１４２同様、レーザポインタ自体の重量を所定重量とすること並びに長手方向における重心をクリップ５側すなわち基端よりに偏位させることに寄与している。
【００４１】
コイル電極７２は、概略円錐形状をなす弾性を有する線状金属からなるコイルバネ形状のものを主体としており、先端部において乾電池Ｋの−極を押圧するための電池押圧部７２ａと、基端部において適宜線状金属を湾曲成形して基板６のコイル接続穴６２に挿入接続する基板挿入部７２ｂとを有している。
【００４２】
ここで、本実施形態に係るレーザポインタは、ケーシング１と、このケーシング１の周面つまり挟持面１２ａから突出した突出部たるブロック被覆部１３１からケーシング１の延伸方向に沿って伸びるクリップ本体５１を有したクリップ５を具備することを特徴とするものである。そしてクリップ本体５１のブロック部５２からの立ち上がり箇所を略覆う形状をなすクリップ収容部１０をケーシング１に形成することにより、クリップ５がケーシング１に対して強固に固定されているものである。
【００４３】
具体的には図６及び図９に示すように、ケーシング１は、上カバー１２のブロック当接部１２１と下カバー１３のブロック被覆部１３１とによって、ブロック部５２を外側から完全に被覆するクリップ収容部１０を形成しているものである。そしてブロック部５２は、上述の通りブロック被覆部１３１に対して超音波溶着により接合されることにより、ケーシング１に対して強固に接続される。さらにブロック部５２は同図に示すとおり、ブロック固定ビス５３を板状電極７１の電極本体７１ａ、ブロック体５２１を介してブロック被覆部１３１のめねじ部１３１ａに、ねじ止めすることによりブロック部５２は電極部７にも強固に固定されるものとなっている。
【００４４】
さらに、本実施形態に斯かるレーザポインタは、図１０に特に示すように、乾電池Ｋの先端側を押圧しながら接するように設けられた先端部たる電池押圧部７２ａ及び基板６に支持されるとともに電池押圧部７２ａからの電気を基板６へ通電させ得る基端部たる基板挿入部７２ｂを有した支持電極たるコイル電極７２を適用しているものである。そしてコイル電極７２の基端部を直接基板６へ電気的に接続させる基板挿入部７２ｂとするとともに、コイル電極７２への衝撃を抑制するための衝撃抑制部たるコイル当接リブ１３６を、基板６の基端縁６ａよりも先端側に位置付けている。しかも、コイル電極７２の動作範囲であるもっとも先端側を基端縁６ａから退避させた退避凹部６４として形成することにより、コイルバネと基板６との距離を近接させて設けることにより、単５乾電池Ｋの太さに応じたケーシング１の径を保持しつつ、ケーシング１の長手寸法を有効に節約しているものである。
【００４５】
加えて本実施形態では、図１１に示すように、レーザを照射するためのレーザ照射部２を、ケーシング１の長手方向における基板６の範囲内に収めるべくレーザ照射部２が、ケーシング１の先端側にねじ止めされたレーザ固定ビス１３５ｃを挿通させたレーザ押圧ワッシャ１３５ｄによりケーシング１の先端縁に押圧支持させている。そうすることにより、本実施形態では、ケーシング１の長手方向における基板６の範囲内には、レーザ照射部２、操作部３、表示部４が全て収まる構成として、ケーシング１の径の増大を回避しつつ、ケーシング１の延伸方向の寸法を所要の寸法に抑え得たものとなっている。
【００４６】
以上のような構成とすることにより、本実施形態に係るレーザポインタは、通常乾電池Ｋを支持する電極と基板６とを長手方向に並べて配置する場合には基板６と電極との間を電気的にも配置としても仕切る格別の部材を必要とするところ、基板６と支持電極たるコイル電極７２との間に別途電極を支持する仕切板等を介在させることを有効に回避して、筒状のケーシング１の径が大きくなることを回避しつつより短寸、すなわち、よりコンパクトなレーザポインタを実現している。
【００４７】
また、コイル電極７２を介して基板６に伝わる衝撃を有効に抑制するために本実施形態では、ケーシング１に、コイル電極７２の基端部つまり基板挿入部７２ｂ近傍に係り合うことにより先端部つまり電池押圧部７２ａから基板挿入部７２ｂを介した基板６への衝撃の伝達を抑制する衝撃抑制部としてのコイル当接リブ１３６を設けている。
【００４８】
そして斯かるコイル当接リブ１３６の具体的な構成として本実施形態では、このコイル当接リブ１３６がコイル電極７２を挟持するコイル挟持スリット１３６ｂを設けたものとしている。
【００４９】
このコイル当接リブ１３６をケーシング１内でコンパクトに位置付けるために本実施形態では基板６の他端縁たる基端縁６ａよりも一端すなわち先端側にコイル当接リブ１３６を位置付けている。
【００５０】
そしてコイル電極７２の構成を満たすものは他にも種々考えられる。しかし本実施形態では乾電池Ｋに関して、所定の規格を満たすものであっても当該規格の範囲内で寸法が異なる場合が考えられる。それ故に、それらの寸法の差異をコイル電極７２の構成によって有効に許容させている。
【００５１】
そして、上述のような基板６の配置を利用してレーザポインタ自体をさらにコンパクトに構成するために本実施形態では、レーザを照射するためのレーザ照射部２と、レーザ照射操作等を受け付けるための操作部３とを、ケーシング１の長手方向における基板６の範囲内に収めて位置付けている。
【００５２】
本実施形態ではレーザ照射部２をケーシング１内に位置決めする構成を単純且つコンパクトに実現する必要が有ったが、レーザ照射部２が、ケーシング１の先端側にねじ止めされたレーザ固定ビス１３５ｃを挿通させたレーザ押圧ワッシャ１３５ｄによりケーシング１の先端縁に押圧支持される構成を適用することにより、上記課題を解消した。
【００５３】
以上、本発明の実施形態について説明したが、各部の具体的な構成は、上述した実施形態のみに限定されるものではなく、本発明の趣旨を逸脱しない範囲で種々変形が可能である。
【００５４】
例えば、上記実施形態では単５サイズの円筒型乾電池を用いた態様を開示したが、勿論、単４や単３といった別のサイズの乾電池を用いたものであってもよい。またレーザ素子の態様や操作部の具体的な態様は上記実施形態のものに限定されることはなく、既存のものを含め、種々の態様のものを適用することができる。
【００５５】
その他、各部の具体的構成についても上記実施形態に限られるものではなく、本発明の趣旨を逸脱しない範囲で種々変形が可能である。
【符号の説明】
【００５６】
１…ケーシング
１３５ｃ…ビス
１３５ｄ…ワッシャ
１３６…衝撃抑制部（コイル当接リブ）
１３６ｂ…スリット（コイル挟持スリット）
２…レーザ照射部
３…操作部
６…電気回路基板
６ａ…他端縁（基端縁）
７２ａ…先端部（電池押圧部）
７２ｂ…基端部（基板挿入部）
７２…支持電極、コイルバネ（コイル電極）
Ｘ…電池収容部
【図１】
0005515076.tif 000002
【図２】
0005515076.tif 000003
【図３】
0005515076.tif 000004
【図４】
0005515076.tif 000005
【図５】
0005515076.tif 000006
【図６】
0005515076.tif 000007
【図７】
0005515076.tif 000008
【図８】
0005515076.tif 000009
【図９】
0005515076.tif 000010
【図１０】
0005515076.tif 000011
【図１１】
0005515076.tif 000012